(57)【要約】【課題】  温度調節操作用としての機能に加えて電源がＯＮ状態にあることをも表示できるようにする。【解決手段】  グリル鍋２を着脱自在に装着する本体ケース１内に、前記グリル鍋２を加熱する加熱手段３と該加熱手段３による加熱量を制御する温度調節レバー１３とを配設してなる電気調理器において、電源ＯＮ時に前記温度調節レバー１３自身を発光させ得るように構成して、温度調節操作用として機能する温度調節レバー１３の発光により、電気調理器が使用中であること（換言すれば、電源がＯＮ状態にあること）が表示されるようにしている。【選択図】        図１
2009285302.tif 000002
【特許請求の範囲】
【請求項１】
グリル鍋を着脱自在に装着する本体ケース内には、前記グリル鍋を加熱する加熱手段と該加熱手段による加熱量を制御する温度調節レバーとを配設してなる電気調理器であって、電源ＯＮ時に前記温度調節レバー自身を発光させ得るように構成したことを特徴とする電気調理器。
【請求項２】
前記温度調節レバーを透明部材により構成するとともに、該温度調節レバーの適所には、電源ＯＮ時に点灯する光源を配設したことを特徴とする請求項１記載の電気調理器。
【請求項３】
前記光源を、前記温度調節レバーにおける可動部に配設したことを特徴とする請求項２記載の電気調理器。
【請求項４】
前記光源への電源供給ラインを、前記温度調節レバーのスライド可動部に保持したことを特徴とする請求項２および３のいずれか一項記載の電気調理器。
【請求項５】
前記本体ケースを、上下に分割された上部ケースと下部ケースとで構成し且つ該上下ケースの側面には、上下ケースの分割部位を中心とする内側に抉られた円弧部を形成するとともに、前記上下ケース間には、前記温度調節レバーをその操作部を前記円弧部の中心部に位置させた状態で摺動可能に配設したことを特徴とする請求項１、２、３および４のいずれか一項記載の電気調理器。
【発明の詳細な説明】
【技術分野】
【０００１】
本願発明は、電気調理器に関し、さらに詳しくはグリル鍋を着脱自在に装着する本体ケース内に、前記グリル鍋を加熱する加熱手段と該加熱手段による加熱量を制御する温度調節レバーとを配設してなる電気調理器に関するものである。
【背景技術】
【０００２】
グリル鍋を着脱自在に装着する本体ケース内に、前記グリル鍋を加熱する加熱手段と該加熱手段による加熱量を制御する温度調節レバーとを配設してなる電気調理器は、従来からよく知られている（特許文献１参照）。
【０００３】
【特許文献１】特開２００３−３２５３６０号公報
【発明の開示】
【発明が解決しようとする課題】
【０００４】
上記特許文献１に開示されている電気調理器の場合、温度調節レバーは単に温度調節時に操作されるだけであり、電気調理器が使用中であるか否か（換言すれば、電源がＯＮされているか否か）を表示する機能は有していない。
【０００５】
本願発明は、上記の点に鑑みてなされたもので、温度調節操作用としての機能に加えて電源がＯＮ状態にあることをも表示できるようにすることを目的とするものである。
【課題を解決するための手段】
【０００６】
本願発明では、上記課題を解決するための第１の手段として、グリル鍋を着脱自在に装着する本体ケース内には、前記グリル鍋を加熱する加熱手段と該加熱手段による加熱量を制御する温度調節レバーとを配設してなる電気調理器において、電源ＯＮ時に前記温度調節レバー自身を発光させ得るように構成している。
【０００７】
上記のように構成したことにより、加熱手段による加熱量を制御する温度調節レバーが電源ＯＮ時に発光せしめられることとなる。従って、温度調節操作用として機能する温度調節レバーの発光により、電気調理器が使用中であること（換言すれば、電源がＯＮ状態にあること）が表示されることとなり、ユーザにとって分かりやすく、デザイン的、視覚的効果を上げることができる。
【０００８】
本願発明では、さらに、上記課題を解決するための第２の手段として、上記第１の手段を備えた電気調理器において、前記温度調節レバーを透明部材により構成するとともに、該温度調節レバーの適所に、電源ＯＮ時に点灯する光源を配設することもでき、そのように構成した場合、電源ＯＮ時には温度調節レバーの適所に配設された光源が点灯するので、電源ＯＮ状態を視認し易くなる。
【０００９】
本願発明では、さらに、上記課題を解決するための第３の手段として、上記第２の手段を備えた電気調理器において、前記光源を、前記温度調節レバーにおける可動部に配設することもでき、そのように構成した場合、温度調節レバーの動きに対応して光源も動くこととなり、温度調節レバーを均一に発光させることができる。
【００１０】
本願発明では、さらに、上記課題を解決するための第４の手段として、上記第２又は第３の手段を備えた電気調理器において、前記光源への電源供給ラインを、前記温度調節レバーのスライド可動部に保持することもでき、そのように構成した場合、温度調節レバーのスライド可動部と電源ラインとが一緒に動くこととなり、電源ラインをスライド可動部が傷つけることがなくなる。
【００１１】
本願発明では、さらに、上記課題を解決するための第５の手段として、上記第１、第２、第３又は第４の手段を備えた電気調理器において、前記本体ケースを、上下に分割された上部ケースと下部ケースとで構成し且つ該上下ケースの側面に、上下ケースの分割部位を中心とする内側に抉られた円弧部を形成するとともに、前記上下ケース間に、前記温度調節レバーをその操作部を前記円弧部の中心部に位置させた状態で摺動可能に配設することもでき、そのように構成した場合、温度調節レバーの配設構造が簡略化できるとともに、温度調節レバーの操作部が円弧部の中心部に位置せしめられ、操作部が円弧部の上下外殻部にガードされることとなって、外力により不用意に動くことがなくなる。
【発明の効果】
【００１２】
本願発明の第１の手段によれば、グリル鍋を着脱自在に装着する本体ケース内には、前記グリル鍋を加熱する加熱手段と該加熱手段による加熱量を制御する温度調節レバーとを配設してなる電気調理器において、電源ＯＮ時に前記温度調節レバー自身を発光させ得るように構成しているので、温度調節操作用として機能する温度調節レバーの発光により、電気調理器が使用中であること（換言すれば、電源がＯＮ状態にあること）が表示されることとなり、ユーザにとって分かりやすく、デザイン的、視覚的効果を上げることができるという効果がある。
【００１３】
本願発明の第２の手段におけるように、上記第１の手段を備えた電気調理器において、前記温度調節レバーを透明部材により構成するとともに、該温度調節レバーの適所に、電源ＯＮ時に点灯する光源を配設することもでき、そのように構成した場合、電源ＯＮ時には温度調節レバーの適所に配設された光源が点灯するので、電源ＯＮ状態を視認し易くなる。
【００１４】
本願発明の第３の手段におけるように、上記第２の手段を備えた電気調理器において、前記光源を、前記温度調節レバーにおける可動部に配設することもでき、そのように構成した場合、温度調節レバーの動きに対応して光源も動くこととなり、温度調節レバーを均一に発光させることができる。
【００１５】
本願発明の第４の手段におけるように、上記第２又は第３の手段を備えた電気調理器において、前記光源への電源供給ラインを、前記温度調節レバーのスライド可動部に保持することもでき、そのように構成した場合、温度調節レバーのスライド可動部と電源ラインとが一緒に動くこととなり、電源ラインをスライド可動部が傷つけることがなくなる。
【００１６】
本願発明の第５の手段におけるように、上記第１、第２、第３又は第４の手段を備えた電気調理器において、前記本体ケースを、上下に分割された上部ケースと下部ケースとで構成し且つ該上下ケースの側面に、上下ケースの分割部位を中心とする内側に抉られた円弧部を形成するとともに、前記上下ケース間に、前記温度調節レバーをその操作部を前記円弧部の中心部に位置させた状態で摺動可能に配設することもでき、そのように構成した場合、温度調節レバーの配設構造が簡略化できるとともに、温度調節レバーの操作部が円弧部の中心部に位置せしめられ、操作部が円弧部の上下外殻部にガードされることとなって、外力により不用意に動くことがなくなる。
【発明を実施するための最良の形態】
【００１７】
以下、添付の図面を参照して、本願発明の好適な実施の形態について詳述する。
【００１８】
この電気調理器は、図１に示すように、グリル鍋２が着脱自在に装着される本体ケース１と、該本体ケース１内にあって前記グリル鍋２を加熱する加熱手段として作用する電気ヒータ３と、該電気ヒータ３の熱の下方への輻射を防止する遮熱板４とを備えて構成されている。５はグリル鍋２の蓋体である。
【００１９】
前記本体ケース１は、図２に示すように、上下に分割された上部ケース１ａと下部ケース１ｂとからなっており、前記上部ケース１ａには、前記遮熱板４が支持される一方、前記下部ケース１ｂの底部および側壁部には、円形の通気口６，６・・および縦長の通気口７，７・・が形成されている。なお、上部ケース１ａと下部ケース１ｂとは、結合状態において内方に凹状態とされた（換言すれば、抉られた）円弧部８を有している。そして、前記下部ケース１ｂにおいて前記円弧部８の中間部から垂設された垂直壁１ｃには、前記通気口７，７・・が形成されている。このようにすると、下部ケース１ｂの底面に形成される通気口６，６・・の数を減らし、減らした分を下部ケース１ｂの側壁部に形成される通気口７，７・・の数でカバーすることが可能となり、床面温度の上昇を抑制することが可能となり、より安全に使用することができる。しかも、通気口７，７・・が下部ケース１ｂにおいて円弧部８の中間部から垂設された垂直壁１ｃに形成されているので、通気口７，７・・が外部から視認されることはなく、外観意匠を損なうことはない。
【００２０】
前記グリル鍋２は、前記本体ケース１の外径とほぼ同径の外径を有する有底円筒形状とされており、その上端開口縁には、前記蓋体５を着脱自在に載置するための環状の係合段部９が形成されている。つまり、この電気調理器は、本体ケース１上にグリル鍋２を載置した状態において全体としてコンパクトな円筒形状を呈することとなっているのである。
【００２１】
前記電気ヒータ３は、アルミ合金等の熱良導体からなる円盤形状の伝熱盤１０にシーズヒータ１１を鋳込んで構成されており、前記グリル鍋２の底面に形成された嵌合凹部１２に嵌挿されることとなっている。
【００２２】
また、前記上下ケース１ａ，１ｂ間には、図３に示すように、前記温度調節レバー１３がその操作部１３ａを前記円弧部８の中心部に位置させた状態で軸支部１３ｂを前記下ケース１ｂの底部中心に対して軸支して左右方向に摺動可能に配設されている。
【００２３】
前記温度調節レバー１３は、透明材料からなっており、そのスライド可動部１３ｃには、光源として作用するＬＥＤ１４が配設されている。該ＬＥＤ１４に電源を供給する電源供給ライン１５は、前記温度調節レバー１３のスライド可動部１３ｃに保持されている。なお、光源としては、ＬＥＤに代えてランプを採用する場合もある。
【００２４】
上記のように構成したことにより、温度調節操作用として機能する温度調節レバー１３の発光により、電気調理器が使用中であること（換言すれば、電源がＯＮ状態にあること）が表示されることとなり、ユーザにとって分かりやすく、デザイン的、視覚的効果を上げることができる。しかも、電源ＯＮ時には温度調節レバー１３の可動部１３ｃに配設されたＬＥＤ１４が点灯するので、電源ＯＮ状態を視認し易くなる。また、温度調節レバー１３の動きに対応してＬＥＤ１４も動くこととなり、温度調節レバー１３を均一に発光させることができる。さらに、温度調節レバー１３の配設構造が簡略化できるとともに、温度調節レバー１３の操作部１３ａが円弧部８の中心部に位置せしめられることとなり、操作部１３ａが円弧部８の上下外殻部にガードされることとなって、外力により不用意に動くことがなくなる。
【００２５】
本願発明は、上記実施の形態に限定されるものではなく、発明の要旨を逸脱しない範囲において適宜設計変更可能なことは勿論である。
【図面の簡単な説明】
【００２６】
【図１】本願発明の実施の形態にかかる電気調理器の縦断面図である。
【図２】本願発明の実施の形態にかかる電気調理器における本体ケースの要部拡大斜視図である。
【図３】本願発明の実施の形態にかかる電気調理器の要部拡大断面図である。
【符号の説明】
【００２７】
１は本体ケース
２はグリル鍋
３は加熱手段（電気ヒータ）
１３は温度調節レバー
１３ａは操作部
１３ｂは軸支部
１３ｃはスライド可動部
１４は光源（ＬＥＤ）
１５は電源供給ライン
【図１】
2009285302.tif 000003
【図２】
2009285302.tif 000004
【図３】
2009285302.tif 000005